(57)【要約】【課題】防風、防塵、防砂、防球、及び防霧等に使用され、軽量で、簡素化されたネットの取付構造を提供する。【解決手段】間隔を有して立設された複数の支持部材１１の頂部にトップケーブル１２が設けられ、トップケーブル１２と地面との間にネット１３を張設したネットの取付構造１０であって、それぞれの支持部材１１は、頂部を連結部材１７で結合され、ネット１３を中央にして前後に傾斜状態で地面に構築した立体トラス構造に組まれた支柱１４〜１６を有する。【選択図】        図１
2004305320.tif 000002
【特許請求の範囲】
【請求項１】
間隔を有して立設された複数の支持部材の頂部にトップケーブルが設けられ、該トップケーブルと地面との間にネットを張設したネットの取付構造であって、
それぞれの前記支持部材は、頂部を連結部材で結合され、前記ネットを中央にして前後に傾斜状態で地面に構築した立体トラス構造に組まれた支柱を有することを特徴とするネットの取付構造。
【請求項２】
請求項１記載のネットの取付構造において、前記トップケーブルには、地面に所定の間隔で設けられた複数のアンカーにそれぞれ取付けられた複数の垂直ガイドワイヤーが隙間を設けて吊り下げられ、
隣合う前記垂直ガイドワイヤーには、それぞれの前記垂直ガイドワイヤーを挿通する環状金具が設けられた複数の横ワイヤーを備え、
前記ネットは上下方向に隙間を有して配置された前記複数の横ワイヤーによって張設されて、しかも、前記ネットは吊りワイヤーを介して昇降可能に懸吊されていることを特徴とするネットの取付構造。
【請求項３】
請求項２記載のネットの取付構造において、前記ネットには、前記横ワイヤーを挿通する管状体が取付けられていることを特徴とするネットの取付構造。
【請求項４】
請求項２及び３のいずれか１項に記載のネットの取付構造において、前記垂直ガイドワイヤーには、予め設定した所定値以上の風速の風荷重により破断可能である切断用ワイヤーが取付けられていることを特徴とするネットの取付構造。
【請求項５】
請求項１〜４のいずれか１項に記載のネットの取付構造において、前記ネットは、可搬型化した電源及び操作手段によって駆動される昇降手段によって昇降されることを特徴とするネットの取付構造。
【発明の詳細な説明】
【０００１】
【発明の属する技術分野】
本発明は、防風、防塵、防砂、防球、及び防霧等に使用され、軽量で、簡素なネットの取付構造に関する。
【０００２】
【従来の技術】
従来の防風、防塵、防砂、防球、及び防霧等のためには、支柱を立体構造として構築し、支柱にネットを張設していた。
例えば、防球ネット用支柱の頂部から防球ネットの吊下位置まで突出した腕木梁を取付け、腕木梁を介して防球ネット用支柱間に架け渡した頂部つなぎ梁にガイドワイヤーを吊り下げ、支柱の頂部つなぎ梁を逆三角形トラスにすることによりガイドワイヤーによる偏心荷重を低減し、頂部つなぎ梁を軽量及び簡素化した中間ガイドワイヤーを有する防球ネットの支柱構造が知られている（例えば、特許文献１参照）。
また、支柱の先端部をネット懸吊側に傾斜させつつ突出させて、その頂部からネット懸吊用のワイヤーを垂下し、支柱全体でネットの重量負荷を分散支持する球止めネット懸吊用ユニットも知られている（例えば、特許文献２参照）。
【０００３】
【特許文献１】
特開平１０−１１３４１１号公報
【特許文献２】
特開平７−３１７１２号公報
【０００４】
【発明が解決しようとする課題】
しかしながら、前記従来のネットの取付構造は未だ解決すべき以下のような問題があった。
特許文献１の発明では、支柱頂部から頂部つなぎ梁を支持するために、腕木梁を片持ち形式とする構造にしている。しかしながら、ネットに強風を受けた場合、支柱には、ガイドワイヤーの引張力によって、頂部つなぎ梁から鉛直力及び水平力が伝達され、大きな荷重がかかる。従って、腕木梁と支柱頂部を堅固にする必要あり、防球ネットの重量は重く、しかも、複雑な構造となった。また、風荷重によって支柱にかかる転倒モーメントは低減されず、支柱と基礎を堅固にしなければならなかった。
【０００５】
また、特許文献２の発明では、支柱全体の構造は、支柱折り曲げ部からの片持ち支持形式であり、折り曲げ支柱に大きな荷重がかかる。従って、支柱は、堅固に構築する必要あり、支柱の重量を重く、しかも、複雑な構造としなければならなかった。また、風荷重によって支柱にかかる転倒モーメントは低減されず、支柱と基礎を堅固にしなければならなかった。
本発明はかかる事情に鑑みてなされたもので、防風、防塵、防砂、防球、及び防霧等に使用され、軽量で、簡素化されたネットの取付構造を提供することを目的とする。
【０００６】
【課題を解決するための手段】
前記目的に沿う本発明に係るネットの取付構造は、間隔を有して立設された複数の支持部材の頂部にトップケーブルが設けられ、該トップケーブルと地面との間にネットを張設したネットの取付構造であって、
それぞれの前記支持部材は、頂部を連結部材で結合され、前記ネットを中央にして前後に傾斜状態で地面に構築した立体トラス構造に組まれた支柱を有する。
【０００７】
これによって、ネットに風荷重がかかった際には、立体トラス構造に構築された支持部材の頂部に鉛直力及び水平力が発生して、風荷重を支持部材の頂部で支持し、従来の片持ち形式のような大荷重が発生せず、支持部材を構成する支柱の軽量化、簡素化をすることができる。また、ネットにかかる風荷重によって生じる支持部材の頂部の水平力を立体トラス構造により処理して、支柱を固定する基礎にかかる転倒モーメントを小さくすることができ、基礎を軽減し、簡素化することができる。
【０００８】
本発明に係るネットの取付構造において、前記トップケーブルには、地面に所定の間隔で設けられた複数のアンカーにそれぞれ取付けられた複数の垂直ガイドワイヤーが隙間を設けて吊り下げられ、
隣合う前記垂直ガイドワイヤーには、それぞれの前記垂直ガイドワイヤーを挿通する環状金具が設けられた複数の横ワイヤーを備え、
前記ネットは上下方向に隙間を有して配置された前記複数の横ワイヤーによって張設されて、しかも、前記ネットは吊りワイヤーを介して昇降可能に懸吊することが好ましい。
【０００９】
これによって、ネットは、環状金具によって垂直ガイドワイヤーに取付けることができる。また、ネットは、吊りワイヤーによって昇降可能になっているので、例えば、台風による暴風警報発令時等には、ネットを下降させ、強風による荷重によって、ネットの取付構造が壊れるのを防止することができる。更に、トップケーブルの撓み量及び垂直ガイドワイヤーのはらみ量を大きくできることから垂直ガイドワイヤーを細くでき、支柱とその土台にかかる荷重を最小化できるため支持部材を更に軽減し、簡素化することができる。
【００１０】
本発明に係るネットの取付構造において、前記ネットには、前記横ワイヤーを挿通する管状体が取付けられてもよい。
これによって、横ワイヤーは、ネットへ容易に取付けることができ、ネットに横ワイヤーを挿通する作業が短縮されると共に、横ワイヤーに起因する損傷を防止することができる。
本発明に係るネットの取付構造において、前記垂直ガイドワイヤーには、予め設定した所定値以上の風速の風荷重により破断可能である切断用ワイヤーを取付けるのが好ましい。
これによって、突風が吹いた場合、ネットにかかる風荷重によって、切断用ワイヤーが破断して、切断用ワイヤーを除くネットの取付構造が大きな損傷を受けるのを防止することができる。
【００１１】
本発明に係るネットの取付構造において、前記ネットは、可搬型化した電源及び操作手段によって駆動される昇降手段によって昇降することもできる。
これによって、電源及び操作手段を取付ける電気工事費を削減することができる。
【００１２】
【発明の実施の形態】
続いて、添付した図面を参照しつつ、本発明を具体化した実施の形態につき説明し、本発明の理解に供する。
ここで、図１は本発明の一実施の形態に係るネットの取付構造の説明図、図２は同ネットの取付構造のネットの説明図、図３は同ネットの取付構造の切断用ワイヤーの説明図である。
【００１３】
図１〜図３を参照して、本発明の一実施の形態に係るネットの取付構造１０について説明する。
図１に示すように、ネットの取付構造１０は、所定間隔で立設された複数の支持部材１１の頂部にトップケーブル１２が設けられている。トップケーブル１２と地面との間には、複数枚のネット１３が張設され、防風、防塵、防砂、防球、及び防霧等に使用される。
【００１４】
それぞれの支持部材１１は、ネット１３を中央にして前後に傾斜状態で地面に構築した立体トラス構造に組まれた複数、例えば３本の支柱１４〜１６と、支柱１４〜１６の頂部を結合する連結部材１７によって形成されている。ここで、支柱１４、１５は、ネット１３を中央にして、同じ側に配置され、支柱１６は、その反対側に配置されている。また、隣り合う支持部材１１の支柱１４、１５は、同じ土台１７ａから立設し、支柱１６は土台１７ｂから立設している。また、連結部材１７は、一端に支柱１４、１５が連結され、他端に支柱１６の上部が連結されている。なお、支柱１４〜１６は、鋼管によって形成されている。
【００１５】
また、各支持部材１１には、トップケーブル１２が取付けられ、トップケーブル１２を張架している。更に、トップケーブル１２には、所定の間隔で複数の垂直ガイドワイヤー１９〜２１の上端が吊り下げられている。更に、垂直ガイドワイヤー１９〜２１の下端は、それぞれの垂直ガイドワイヤー１９〜２１の実質的に直下に設けられたアンカー１８に取付けられている。なお、符号３５は境界部柱を示す。
【００１６】
図２に示すように、ネット１３には、上下方向に隙間を有して管状体の一例である塩化ビニル製のホース２３を取付け、ホース２３には、それぞれ横ワイヤー２２が挿通される。更に、横ワイヤー２２の両端には、垂直ガイドワイヤー１９、２０に挿通する環状金具２４が設けられている。ネット１３には、ホース２３が取付けられているので、ネット１３を補強する横ワイヤー２２を容易に挿通し、取付けることができる。ネット１３は複数の横ワイヤー２２によって張設されている。
【００１７】
また、ネット１３の上端の両端には、ネット１３を懸吊する吊りワイヤー２５、２６がそれぞれ取付けられている。吊りワイヤー２５は、トップケーブル１２から吊り下げられた滑車２７にガイドされ、また、吊りワイヤー２６は、トップケーブル１２から吊り下げられた滑車２８を経て、滑車２７でガイドされ、ネット１３が昇降可能となっている。なお、吊りワイヤーの長さは、少なくもそれぞれのネットでは、その上端の高さが実質的に同じになるようにそれぞれ調整されている。
【００１８】
ネット１３は、ポリエチレンテレフタラート繊維を塩化ビニルでコーティングした開口率２０〜４０％、例えば２８．８％のメッシュシートで形成され、風速１０ｍ／ｓにおける通気抵抗係数が９．５となっている。なお、ネットの取付構造１０において、ネット１３は、およそ高さ２３．８２ｍ、幅８．９ｍのメッシュシートを使用し、ネット１３を隣り合う垂直ガイドワイヤー１９、２０（垂直ガイドワイヤー２０、２１、及び垂直ガイドワイヤー１９、２１）に一枚ずつ取付けている。また、ネットの取付構造１０では、ネット１３がパラボラ状、つまり帆船の帆のようにはらむように取付け、支柱１４〜１６及びそれらの土台１７ａ、１７ｂにかかる荷重を低減している。
【００１９】
図３に示すように、垂直ガイドワイヤー１９〜２１には、予め設定した所定値以上の風速の風荷重により破断可能である切断用ワイヤー２９が取付けられている。ネットの取付構造１０では、切断用ワイヤー２９に、およそ風速２０ｍ／ｓ以上の風をネット１３に受けたときに切断する細いワイヤーが使用されている。風速２０ｍ／ｓ以上の風が吹いた場合、ネット１３にかかる風荷重によって、切断用ワイヤー２９が破断し、切断用ワイヤー２９を除くネットの取付構造１０が大きな損傷を受けることを防止することができる。
【００２０】
また、吊りワイヤー２５、２６には、例えば、台風の暴風警報発令時等に、予め吊りワイヤー２５、２６を送り出して、ネット１３を下降させる昇降手段の一例であるウインチ３０が設けられている。ウインチ３０は、トラック３１に積載された電源３２とウインチ３０を操作する操作手段の一例である制御盤３３によって駆動する。また、ウインチ３０には、地面に埋設された電源供給ケーブル３４を介して、電源３２から電気が供給される。ネットの取付構造１０では、電源３２にディーゼルエンジン発電機を使用し、１分間に２．４８ｍのネット１３の昇降が可能となっている。特に、複数のウインチが設けられたネット取付構造においては、電源３２及び制御盤３３を可搬型化することにより、電源３２及び制御盤３３を取付ける電気工事費を削減することができる。
【００２１】
本発明は、前記した実施の形態に限定されるものではなく、本発明の要旨を変更しない範囲での変更は可能であり、例えば、前記した実施の形態や変形例の一部又は全部を組み合わせて本発明のネットの取付構造を構成する場合も本発明の権利範囲に含まれる。
例えば、前記実施の形態では、支持部材は、３本の支柱によって形成され、立体トラス構造としたが、２本、又は４本以上の支柱を立体トラス構造としてもよい。更に、支柱は、鋼管を使用したが、コンクリート柱や鋼材を使用してもよい。また、支持部材間には、ネットを３枚取付けているが、その枚数も限定されてない。ネットは、昇降式としたが、固定式でもよく、昇降手段を駆動させる電源及び操作手段は備え付けとしてもよい。１台のウインチによって昇降するネットの枚数も限定されない。
【００２２】
【発明の効果】
請求項１〜５記載のネットの取付構造においては、間隔を有して立設された複数の支持部材の頂部にトップケーブルが設けられ、トップケーブルと地面との間にネットを張設したネットの取付構造であって、それぞれの支持部材は、頂部を連結部材で結合され、ネットを中央にして前後に傾斜状態で地面に構築した立体トラス構造に組まれた支柱を有するので、ネットに風荷重がかかった際には、立体トラス構造に構築された支持部材の頂部に鉛直力及び水平力が発生して、風荷重を支持部材の頂部で支持し、従来の片持ち形式のような大荷重が発生せず、支持部材を構成する支柱を軽量化、簡素化することができる。また、ネットにかかる風荷重によって生じる支持部材の頂部の水平力を立体トラス構造により処理して、支柱を固定する基礎にかかる転倒モーメントを小さくすることができ、基礎を軽減し、簡素化することができる。
【００２３】
特に、請求項２記載のネットの取付構造においては、トップケーブルには、地面に所定の間隔で設けられた複数のアンカーにそれぞれ取付けられた複数の垂直ガイドワイヤーが隙間を設けて吊り下げられ、隣合う垂直ガイドワイヤーには、それぞれの垂直ガイドワイヤーを挿通する環状金具が設けられた複数の横ワイヤーを備え、ネットは上下方向に隙間を有して配置された複数の横ワイヤーによって張設されて、しかも、ネットは吊りワイヤーを介して昇降可能に懸吊されているので、ネットは、環状金具によって垂直ガイドワイヤーに取付けることができる。また、ネットは、吊りワイヤーによって昇降可能になっているので、例えば、台風による暴風警報発令時等には、ネットを下降させ、強風による荷重によって、ネットの取付構造が壊れるのを防止することができる。更に、トップケーブルの撓み量及び垂直ガイドワイヤーのはらみ量を大きくできることから垂直ガイドワイヤーを細くでき、支柱とその土台にかかる荷重を最小化できるため支持部材を更に軽減し、簡素化することができる。
【００２４】
請求項３記載のネットの取付構造においては、ネットには、横ワイヤーを挿通する管状体が取付けられているので、横ワイヤーは、ネットへ容易に取付けることができ、ネットに横ワイヤーを挿通する作業が短縮されると共に、横ワイヤーに起因する損傷を防止することができる。
特に、請求項４記載のネットの取付構造においては、垂直ガイドワイヤーには、予め設定した所定値以上の風速の風荷重により破断可能である切断用ワイヤーが取付けられているので、突風が吹いた場合、切断用ワイヤーが破断して、切断用ワイヤーを除くネットの取付構造が大きな損傷を受けるのを防止することができる。
請求項５記載のネットの取付構造においては、ネットは、可搬型化した電源及び操作手段によって駆動される昇降手段によって昇降されるので、電源及び操作手段を取付ける電気工事費を削減することができる。
【図面の簡単な説明】
【図１】本発明の一実施の形態に係るネットの取付構造の説明図である。
【図２】同ネットの取付構造のネットの説明図である。
【図３】同ネットの取付構造の切断用ワイヤーの説明図である。
【符号の説明】
１０：ネットの取付構造、１１：支持部材、１２：トップケーブル、１３：ネット、１４〜１６：支柱、１７：連結部材、１７ａ、１７ｂ：土台、１８：アンカー、１９〜２１：垂直ガイドワイヤー、２２：横ワイヤー、２３：ホース、２４：環状金具、２５、２６：吊りワイヤー、２７、２８：滑車、２９：切断用ワイヤー、３０：ウインチ、３１：トラック、３２：電源、３３：制御盤、３４：電源供給ケーブル、３５：境界部柱
【図１】
2004305320.tif 000003
【図２】
2004305320.tif 000004
【図３】
2004305320.tif 000005